(57)【要約】【課題】組立が容易でありかつ事前組立が行われる窓ブラインド及びこの窓ブラインドを備えた自動車の車体又はドアを提供する。【解決手段】窓ブラインド１３は、少なくとも巻取り軸２３と、軸受台２４と、これらの軸受台２４を連結するフレームパイプ６８と、巻取り軸２３に一端縁を固定されたブラインドシート２６と、自動車１の窓開口部６の両側縁に沿って形成されたガイドレール１０によって案内されブラインドシート２６に他端縁が固定される引張り棒２８と、スラスト部材４６，４７を介して引張り棒２８をガイドレール１０に沿って移動させブラインドシート２６の開閉を行う駆動装置３５とから成り、事前に組み立てられるようになっている。自動車１の車体又はドアに窓ガラス固定用のフランジ７９，８１が設けられており、これらにガイドレール１０が見えないように窓開口部６に密接に取り付けられている。【選択図】図５
2010111392.tif 000002
【特許請求の範囲】
【請求項１】
（Ｉ）一巡する窓縁を有する少なくとも１個の窓を形成する窓開口部（６）と、
（ＩＩ）（ａ）軸受手段（２４）に回転可能に支承された巻取り軸（２３）と、一方の端縁が該巻取り軸（２３）に固定された少なくとも１個の窓ブラインドシート（２６）と、
（ｂ）各々が張られた該窓ブラインドシート（２６）の横に並んで延び、それぞれ少なくとも１個の案内溝（２１）を具備し、少なくとも一部が前記窓縁に接して又は並んで設けられている少なくとも１対のガイドレール（１０）と、
（ｃ）前記窓ブラインドシート（２６）の前記巻取り軸（２３）に反対側の端縁に接続され、両端部が前記案内溝（２１）により案内される引張り棒（２８）と、
（ｄ）前記ガイドレール（１０）に沿って前記引張り棒（２８）を移動するため、かつ、前記巻取り軸（２３）を回転するための駆動装置（３５）と、を有する窓ブラインド（１３）と、
を具備する自動車（１）の車体又はドアであって、
前記軸受手段（２４）は、金属板を曲げて形成されており、該軸受手段（２４）を前記車体又はドアに固定するための組立フランジ（６１；６５）を有する、
ことを特徴とする自動車（１）の車体又はドア。
【請求項２】
前記組立フランジ（６１；６５）は前記自動車（１）に一体に又は確実に固定される、
ことを特徴とする請求項１に記載の車体又はドア。
【請求項３】
前記窓開口部（６）はこれに嵌め込まれる窓ガラス（９）を固定するために設けられ、窓縁に沿って延びるフランジ（７９，８１）を具備し、前記ガイドレール（１０）が該フランジ（７９，８１）に接して又は並んで設けられる、
ことを特徴とする請求項１又は２に記載の車体又はドア。
【請求項４】
前記フランジ（７９，８１）は対峙した金属板であり、間に溝（９２）が形成されている、
ことを特徴とする請求項３に記載の車体又はドア。
【請求項５】
前記フランジの一方（８１）に張出し部（８６）が形成され、これに前記ガイドレール（１０）が固定される、
ことを特徴とする請求項３又は４に記載の車体又はドア。
【請求項６】
前記窓開口部（６）は少なくとも側部に内側及び外側の段部（７８，８７）を有し、その外側の段部（７８）に前記窓ガラス（９）が固定され、内側の段部（８７）を前記ガイドレール（１０）の支持体として使用する、
ことを特徴とする請求項３乃至５の何れか１項に記載の車体又はドア。
【請求項７】
前記ガイドレール（１０）は、前記窓ガラス（９）と前記フランジ（７９，８１）との間に挿入される固定フランジ（１８）を有する、
ことを特徴とする請求項３乃至６の何れか１項に記載の車体又はドア。
【請求項８】
前記引張り棒（２８）は前記ガイドレール（１０）間の変化する間隔に追従できるように長さが可変である、
ことを特徴とする請求項１乃至７の何れか１項に記載の車体又はドア。
【請求項９】
前記巻取り軸（２３）は管状であり、前記窓ブラインドシート（２６）を巻き上げるばねモータ（２５）を収容する、
ことを特徴とする請求項１乃至８の何れか１項に記載の車体又はドア。
【請求項１０】
前記ブラインドシート（２６）は前記窓に対応する形状の裁断物から構成される、
ことを特徴とする請求項１乃至９の何れか１項に記載の車体又はドア。
【請求項１１】
前記ガイドレール（１０）は当該の窓縁に対応する形状を有する、
ことを特徴とする請求項１乃至１０の何れか１項に記載の車体又はドア。
【請求項１２】
前記ガイドレール（１０）は前記車両と一体を成すか確実に接続される、
ことを特徴とする請求項１乃至１１の何れか１項に記載の車体又はドア。
【請求項１３】
前記ガイドレール（１０）は少なくとも１個の連続する面（１９，２０；８８）を備えており、その母線が前記ガイドレール（１０）の縦軸に対して直角に延びる直線である、
ことを特徴とする請求項１乃至１２の何れか１項に記載の車体又はドア。
【請求項１４】
前記ガイドレール（１０）は２つの互いに平行な面（１９，２０）を有し、その母線が該ガイドレールの縦軸に対して直角な直線である、
ことを特徴とする請求項１乃至１３の何れか１項に記載の車体又はドア。
【請求項１５】
前記ガイドレール（１０）は、前記案内溝（２１）と反対側の側面（１７）に車両と一体に又は確実に接続される固定フランジ（１８）を有する、
ことを特徴とする請求項１乃至１４の何れか１項に記載の車体又はドア。
【請求項１６】
前記各々のガイドレール（１０）は第１の部分（６６）とこれとは別に形成された第２の部分（６７）とから構成され、該第１の部分（６６）は前記軸受手段（２４）と接続されると共に、その長さは前記窓ブラインド（１３）が完全に収縮した位置にあるときに該引張り棒（２８）の両端部を受けることができるような寸法を有する、
ことを特徴とする請求項１乃至１５の何れか１項に記載の車体又はドア。
【請求項１７】
前記第１の部分（６６）は、前記窓ブラインド（１３）が収縮した位置にあるときに前記引張り棒（２８）から前記ガイドレール（１０）の全長に比して僅かしか張り出さないような長さを有する、
ことを特徴とする請求項１６に記載の車体又はドア。
【請求項１８】
前記第１及び第２の部分（６６，６７）はヒンジ（７１，７２；７３）によって互いに連結されている、
ことを特徴とする請求項１６又は１７に記載の車体又はドア。
【請求項１９】
前記ヒンジ（７１，７２；７３）の旋回軸は前記巻取り軸（２３）の回転軸に対して直角である、
ことを特徴とする請求項１８に記載の車体又はドア。
【請求項２０】
前記ヒンジがフィルムヒンジ又は屈曲部である、
ことを特徴とする請求項１８又は１９に記載の車体又はドア。
【請求項２１】
前記ガイドレール（１０）の前記第１及び第２の部分（６６，６７）が差込みによって互いに連結されている、
ことを特徴とする請求項１６又は１７に記載の車体又はドア。
【請求項２２】
前記ガイドレール（１０）の第２の部分が車両の内張り部材（７６）である、
ことを特徴とする請求項１６乃至２１の何れか１項に記載の車体又はドア。
【請求項２３】
前記引張り棒（２８）は中間部材及び該中間部材に対して入れ子式に移動可能に通されている２個の端部材（２９，３０）から構成される、
ことを特徴とする請求項１乃至２２の何れか１項に記載の車体又はドア。
【請求項２４】
前記駆動装置（３５）は、ギヤモータ（３６）と、該ギヤモータ（３６）と前記引張り棒（２８）との間に配設されている少なくとも２個の駆動部材（４６，４７）と、を有し、該駆動部材（４６，４７）は該ギヤモータ（３６）により作動されて前記引張り棒（２８）を移動させる、
ことを特徴とする請求項１乃至２３の何れか１項に記載の車体又はドア。
【請求項２５】
前記駆動部材（４６，４７）はスラスト部材である、
ことを特徴とする請求項２４に記載の車体又はドア。
【請求項２６】
前記駆動部材（４６，４７）は線形部材である、
ことを特徴とする請求項２４又は２５に記載の車体又はドア。
【請求項２７】
前記駆動部材（４６，４７）は外周面に歯（４９）を有する、
ことを特徴とする請求項２４乃至２６の何れか１項に記載の車体又はドア。
【請求項２８】
前記ギヤモータ（３６）の出力軸（４２）に、前記駆動部材（４６，４７）に確実に係合する歯車（４３）が設けられている、
ことを特徴とする請求項２４乃至２７の何れか１項に記載の車体又はドア。
【請求項２９】
前記駆動部材（４６，４７）を案内するために、前記ギヤモータ（３６）から当該のガイドレール（１０）の一方の端部に至る案内管（４４，４５）が設けられている、
ことを特徴とする請求項２４乃至２８の何れか１項に記載の車体又はドア。
【請求項３０】
前記案内管（４４，４５）は前記ガイドレール（１０）と同じ横断面輪郭を有する、
ことを特徴とする請求項２９に記載の車体又はドア。
【請求項３１】
前記軸受手段（２４）を互いに連結する連結手段（６８）を更に具備し、前記ギヤモータ（３６）が該連結手段（６８）に取り付けられている、
ことを特徴とする請求項２４乃至３０の何れか１項に記載の車体又はドア。
【請求項３２】
前記軸受手段（２４）を互いに連結する連結手段（６８）と、
前記駆動装置（３５）に設けられたギヤモータ（３６）と、
前記駆動装置（３５）に設けられ、前記ギヤモータ（３６）と前記引張り棒（２８）との間に配設され、前記ギヤモータ（３６）により作動されて前記引張り棒（２８）を移動させる少なくとも２つの駆動部材（４６，４７）と、
前記駆動部材（４６，４７）を案内するために設けられ、前記ギヤモータ（３６）から当該のガイドレール（１０）の一方の端部に至る案内管（４４，４５）と、を更に具備し、
前記連結手段（６８）と、前記軸受手段（２４）と、前記巻取り軸（２３）と、前記案内管（４４，４５）と、前記ギヤモータ（３６）と、前記ガイドレール（１０）の少なくとも一部と、が事前に組み立てられて車両に取り付けられる組立ユニットを構成する、
ことを特徴とする請求項１に記載の車体又はドア。
【発明の詳細な説明】
【技術分野】
【０００１】
本発明は、自動車の窓用、特に後窓用の窓ブラインド及びこの窓ブラインドが取り付けられる窓を有する自動車の車体又はドアに関する。
【背景技術】
【０００２】
近代的な車体形状は比較的大きな窓面が特徴である。日射が強ければ、大きな窓面の場合は日射を遮る物がなければ車内の温度が著しく上昇するから、この温度上昇を抑えるためには空調設備は少なからぬエネルギー消費を必要とする。
【０００３】
そこで、自動車は窓ブラインドを装備することが増えている。
【０００４】
このために、後部窓の前に２本のガイドレールを設け、これでブラインドシートの引張り棒を案内することが知られている。操作はガイドレール内を通るスラスト部材によって行われる。
【０００５】
このような窓ブラインド用のガイドレールは極めて繊細な構成物である。それは軽金属から成り、従ってゆがみに対してすこぶる敏感である。ガイドレールは安定な支持部材に固定しなければ、小さな力でも破壊してしまう。
【０００６】
それゆえ、このようなガイドレールを車両に完全無欠に取り付けるのは難しい。
【０００７】
しかも、ガイドレールは巻取り軸に対して正しい位置に、又は巻取り軸をガイドレールに対して正しい位置に取り付けなければならない。そして、巻取り軸とガイドレールを取り付けた上で初めて引張り棒をガイドレールに通すことができる。
【０００８】
組立ラインで取り付ける場合は、この繊細な仕事を遂行するのが非常に困難である。
【発明の概要】
【発明が解決しようとする課題】
【０００９】
以上に基づき本発明の課題は、自動車の製造時の組立ラインで取付けを大幅に簡易化し、損傷から守られると共に目障りにならないようによく隠蔽された窓ブラインドを提供すると共にこの窓ブラインドを備えた自動車の車体及びドアを提供することである。
【課題を解決するための手段】
【００１０】
この課題は、まず、窓ブラインドを、少なくとも１個の巻取り軸と、この巻取り軸を回転可能に支承する軸受手段と、これら軸受手段を互いに連結する連結手段と、一方の端縁が巻取り軸に固定された少なくとも１個のブラインドシートと、ブラインドシートが張られた時ブラインドシートの横脇に少なくとも少し離れて伸張し、少なくとも１個の案内溝をそれぞれが具備する少なくとも１対の案内手段と、ブラインドシートの巻取り軸と反対側の端縁に接続され、両端部が当該の案内溝で案内される引張り棒と、引張り棒を案内手段に沿って移動し、かつ、巻取り軸を回転するための駆動装置とを有し、軸受手段及び連結手段の少なくとも一方が自動車の車体に取り付けられるように構成して達成される。
【００１１】
この課題は、第２に、自動車の車体又はドアを、（Ｉ）一巡する窓縁を有する少なくとも１個の窓を形成する窓開口部と、（ＩＩ）（ａ）軸受手段に回転可能に支承された巻取り軸と、一方の端縁が巻取り軸に固定された少なくとも１個の窓ブラインドシートと、（ｂ）各々が張られた窓ブラインドシートの横に並んで延び、それぞれ少なくとも１個のスロットを具備し、少なくとも一部が窓縁に接して又は並んで設けられている少なくとも１対のガイドレールと、（ｃ）ブラインドシートの巻取り軸に反対側の端縁に接続され、両端部が案内溝により案内される引張り棒、（ｄ）ガイドレールに沿って引張り棒を操作するために巻取り軸を回転させるための駆動装置とを有し、窓開口部を覆うことができる窓ブラインドとで構成して達成される。
【００１２】
巻取り軸用の軸受手段は連結手段によって互いに固定されているために事前組立が可能であるから、組立を大幅に簡素化することができる。窓ブラインドが機能できるようにするためには、組立ラインで取り付ける時に、ブラインドの個別部品を互いに正しい位置に取り付け、可動部材を通入することはもはや必要でない。むしろメーカー側ですでにこれらの部品を一括して取り付けることができる。従って、事前組立てをした基本ユニットだけを使用すればよいから、組立ラインでの取付けが簡単になる。
【００１３】
その場合、連結手段や軸受手段を適切な手段を用いて車両に固定することができる。
【００１４】
基本ユニットが更に駆動部材を駆動する駆動モータ乃至ギヤモータとこれら駆動部材を案内する案内管とを設ける場合、取付けが一層簡素化される。最後に、基本ユニットが更にガイドレール又は少なくともその一部分を担持するようにすれば、基本ユニットのほぼ完全な事前製作が可能である。それによって、メーカー側で窓ブラインドの完全な事前組立が可能である。
【００１５】
ガイドレールは２つの部分で構成することができる。各ガイドレールの一方の部分は軸受手段に固着され、他方の部分は差し込むことによって該一方の部分に接合することができる。もう一つの可能性は、各ガイドレールの２つの部分をヒンジで連結することである。ヒンジはヒンジピンを備えたヒンジ又はフィルヒンジ(Filmscharnier)又は屈曲部(Sollbiegestelle)である。
【００１６】
ヒンジの使用によって、組立ラインに供給される極めてコンパクトな基本ユニットを得ることができる。ガイドレールの当該の部分を取外し又は折り畳むことによって、片持張出し部分がない基本ユニットが得られる。
【００１７】
ヒンジはメーカー側で組み立てた後に折り畳むためと、車両に取り付けるときに開かせるための、実際上２回しか操作されないから、ヒンジを屈曲部(Sollbieestelle)で構成することが可能であり、この屈曲部をフィルムヒンジ(Filmscharnier)とみなすこともできる。例えばアルミニウム押出形材か成るガイドレールを使用する場合も、ガイドレールに背面側から数個の切込みをつけることが可能である。切込みによってスロット側にスロットと並んで２本の細いウエブ状材料部が残り、数回曲げたり戻したりしても折れることはない。切込みを複数個にすると、当該のガイドレール部分を折り畳むときにウエブ状材料部の対に現われるゆがみの度合が減少する。
【００１８】
ガイドレールは車体と一体を成すか確実に結合されるようにすることが望ましい。このために、ガイドレールは接着面を設けるか、又はねじ止め又は接着に適したフランジ状のウエブを設けることができる。また、リベット、例えば、ブラインドリベットによる鋲止めも考えられる。
【００１９】
当該のガイドレールが固定フランジを備える場合は、この固定フランジを窓ガラスと車体の間に接着することもできる。
【００２０】
ブラインドシートの駆動は、とりわけ電動モータ（ギヤモータ）に確実に係合した駆動部材によって行うことが望ましい。それによって長い使用時間にわたって引張り棒の両端が確実に同期駆動される。駆動部材は外側に歯を備えた線形部材である。歯は巡回する螺旋状のリブから成る。
【００２１】
スラスト部材の折損を回避するために、駆動部材のガイドレールへの案内は案内管で行われる。この構造はボーデンケーブルに似ている。
【００２２】
極めて簡単な実施形態では、案内管がガイドレールと同じ横断面輪郭を有し、両者が一体を成して片方から他方へ移行するようにすることも可能である。
【００２３】
ガイドレールを窓開口部の縁端に直接設け、そこで車体と結合されるならば、窓ブラインドを車体を使用した簡単な構造にでき、デザインの面で大変好都合である。このことは特に可動式の窓ガラスがつけられているドアにも用いることができる。
【００２４】
近代的な車体では不動の窓用の窓開口部は一巡する折り縁を備えるのが普通であり、それが窓開口部に突出するフランジを生じさせる。このフランジは窓ガラスのための固定面として利用される。窓ガラスの縁端側がフランジに接着される。このフランジはガイドレールを固定するために好適であり、ガイドレールの独自のフランジを窓ガラスと車体のフランジの間に接着することができる。
【００２５】
この装置は、組立ラインでの取付けの際に窓開口部に通す必要がなく窓ブラインドを容易に取り付けることができるという重要な利点をもつ。
【００２６】
しかも、フランジによって生じた段部(Falz)は元来場所を取らずにガイドレールを格納するためのスペースを提供するから、ガイドレールは車内に姿を見せない。
【００２７】
ガイドレールの固定はフランジに突設した溝によって行うこともできる。溝は車体のフランジに形成されたリブと共同で作用する。
【００２８】
最後に、ガイドレール又は少なくともガイドレールの一部が内張り部材に直接一体に形成され、ガイドレールが事前組立ユニットの構成部分である短い部分と、プラスチックで側面部材に射出成形された長い部分とで構成することができる。
【００２９】
本発明は、窓ブラインドについては、［課題を解決するための手段］の欄の冒頭に述べた構造の他に次の構成を取ることができる。
１．巻取り軸が管状であり、駆動装置はばねモータを含むこと。
２．軸受手段は、自動車の車体に固定するための固定脚部を有すること。
３．軸受手段は金属板を曲げて形成した部材であること。
４．固定脚部は自動車の車体に一体に形成されるかしっかり固定されること。
５．ブラインドシートは窓の形状に対応する形状を有する裁断物から成ること。
６．案内手段はその少なくとも一部が軸受手段及び前記連結手段に接続されて予め組み立てられる基本ユニットを構成すること。
７．案内手段は内側へ拡がった案内溝を具備するガイドレールから成ること。
８．案内手段は当該の窓縁に対応する形状を成すこと。
９．ガイドレールは少なくとも部分的に自動車の車体と一体を成し又はこれに確実に固定されるように構成されていること。
１０．ガイドレールは少なくとも１個の連続する面を備えており、その母線がガイドレールの縦軸に対して直角に延びる直線であること。
１１．ガイドレールの各々が２つの互いに平行な面を有し、その母線がガイドレールの縦軸に対して直角な直線であること。
１２．ガイドレールは一つの面で開口する案内溝を有するスロットと、案内溝と反対側の面に固定フランジとを有し、この固定フランジが自動車の車両と一体を成すかこれに確実に結合されるように構成されていること。
１３．各ガイドレールは第１の部分と第２の部分から成り、第１の部分は軸受手段に接続され、この第１の部分の長さは、窓ブラインドが完全に収縮した位置にある時に引張り棒の対応端部を受けることができるような寸法を有すること。
１４．第１の部分は、窓ブラインドが収縮した位置にあるときに引張り棒からガイドレールの全長に比して僅かしか張り出さないような長さを有すること。
１５．第２の部分は自動車の側面内張り部材に格納又は形成されていること。
１６．第１の部分及び第２の部分は、ヒンジによって互いに連結されていること。
１７．ヒンジの旋回軸は巻取り軸の回転軸に対して直角であること。
１８．ヒンジはフィルムヒンジ又は屈曲部であること。
１９．ガイドレールの第１の部分及び第２の部分は差込みによって互いに連結されていること。
２０．引張り棒が中間部材及びこの中間部材に対して入れ子式に移動可能な２個の端部材から成り、これら端部材が当該のガイドレールにより移動可能に案内されること。
２１．駆動装置少なくとも２個の駆動部材を有し、これらの駆動部材が引張り棒を駆動するために駆動装置と引張り棒との間に配設されていること。
２２．駆動部材はスラスト部材であること。
２３．駆動部材は線形部材であること。
２４．駆動部材は外周面に歯を有すること。
２５．駆動装置はギヤモータを有し、このギヤモータは、駆動部材と確実に係合する歯車が設けられた出力軸を有すること。
２６．駆動部材を挿通案内するために、駆動装置のギヤモータから当該のガイドレールの一方の端部に至る案内管が設けられていること。
２７．案内管はガイドレールと同じ横断面輪郭を有すること。
２８．ギヤモータは連結手段に取り付けられていること。
２９．連結手段及び前記軸受手段が巻取り軸、案内管、ギヤモータ及びガイドレールの少なくとも一部と共に、自動車の車体に取り付けるために事前に組み立てられる組立ユニットを構成すること。
３０．ガイドレールの少なくとも一部が自動車のドア又は車体と一体の構成部分であること。
また、本発明は、自動車の車体又はドアについては、発明を解決するために課題の冒頭に述べた構造の他に次の構成を取ることができる。
１．窓開口部はこれに嵌め込まれる窓ガラスを固定するために設けられ、窓縁に沿って延びるフランジを具備し、ガイドレールがフランジに接して又は並んで設けられること。
２．フランジは対峙した金属板であり、間に溝が形成されていること。
３．フランジの一方に張出し部が形成され、これにガイドレールが固定されること。
４．窓開口部は少なくとも側部に内側及び外側の段部を有し、その外側の段部に窓ガラスが固定され、内側の段部をガイドレールの支持体として使用すること。
５．ガイドレールは、窓ガラスとフランジとの間に挿入される固定フランジを有すること。
６．引張り棒はガイドレール間の変化する間隔に追従できるように長さが可変であること。
７．巻取り軸は管状であり、窓ブラインドシートを巻き上げるばねモータを収容すること。
８．軸受手段は、車体に固定するための固定脚部とこの固定脚部に一体に形成され窓ブラインドシートを保持する腕部とから成る組立フランジを有すること。
９．軸受手段は金属板曲げ部材であること。
１０．組立フランジは自動車に一体に又は確実に固定されること。
１１．ブラインドシートは窓に対応する形状の裁断物から成ること。
１２．ガイドレールは当該の窓縁に対応する形状を有すること。
１３．ガイドレールは車両と一体を成すか確実に接続されること。
１４．ガイドレールは少なくとも１個の連続する面を備えており、その母線がガイドレールの縦軸に対して直角に延びる直線であること。
１５．ガイドレールは２つの互いに平行な面を有し、その母線がガイドレールの縦軸に対して直角な直線であること。
１６．ガイドレールは、スロットと反対側の側面に固定フランジが車両と一体に又は確実に接続される固定フランジを設けること。
１７．各々のガイドレールは別個の第１の部分とこれとは別に形成された第２の部分から成り、第１の部分は軸受手段と接続されると共に、その長さは窓ブラインドが完全に収縮した位置にあるときに引張り棒の両端部を受けることができるような寸法を有すること。
１８．第１の部分は、窓ブラインドが収縮した位置にあるときに引張り棒からガイドレールの全長に比して僅かしか張り出さないような長さを有すること。
１９．第１及び第２の部分はヒンジによって互いに連結されていること。
２０．ヒンジの旋回軸は巻取り軸の回転軸に対して直角であること。
２１．ヒンジがフィルムヒンジ又は屈曲部であること。
２２．ガイドレールの第１及び第２の部分が差込みによって互いに連結されていること。
２３．引張り棒は中間部材及び中間部材に対して入れ子式に移動可能に通されている２個の端部材から成ること。
２４．ガイドレールの第２の部分が車両の内張り部材であること。
２５．駆動装置は、電動ギアモータと引張り棒との間に配設されている少なくとも２個の駆動部材を有し、駆動部材はギヤモータにより作動されて引張り棒を移動させること。
２６．駆動部材はスラスト部材であること。
２７．駆動部材は線形部材であること。
２８．駆動部材は外周面に歯を有すること。
２９．駆動装置はギヤモータを含み、該ギヤモータの出力軸に、該駆動部材に確実に係合する歯車が設けられていること。
３０．駆動部材を案内するために、ギヤモータから当該のガイドレールの一方の端部に至る案内管が設けられていること。
３１．案内管はガイドレールと同じ横断面輪郭を有すること。
３２．軸受手段を連結手段で連結し、ギヤモータが連結手段に取り付けられていること。
３３．軸受手段を連結手段で連結し、駆動装置はギヤモータを含み、ガイドレールにギヤモータによって操作される駆動部材を設け、ギヤモータと対応のガイドレールの端部との間に駆動部材を案内するための案内管を設け、連結手段、軸受手段、巻取り軸、案内管、駆動モータ及びガイドレールの少なくとも一つの部分が事前に組み立てられて車両に取り付けられる組立ユニットを構成すること。
【図面の簡単な説明】
【００３０】
【図１】引き出された本発明後部窓ブラインドを示す乗用車の背面図である。
【図２】図１の後部窓ブラインドの基本構造の平面図である。
【図３】図１の後部窓ブラインドのガイドレールの横断面図である。
【図４】図１の後部窓ガラスブラインドの各部品と駆動装置の相互作用を示す簡単な概略図である。
【図５】巻取り軸、軸受台、ブラインドシート及び引張り棒から成り、ガイドレールが差込み式になっている事前組立ユニットの一部の斜視図である。
【図６】巻取り軸、軸受台、ブラインドシート及び引張り棒から成り、ガイドレールがヒンジを備えていて事前に組み立てられる組立ユニットの一実施形態の一部の斜視図である。
【図７】巻取り軸、軸受台、ブラインドシート及び引張り棒からなり、ガイドレールが予定屈曲部を備えていて事前に組み立てられる他の実施形態の組立ユニットの一部の斜視図である。
【図８】巻取り軸、軸受台、ブラインドシート及び引張り棒から成り、ガイドレールの一部が内装の一部に形成されて事前に組み立てられる更に他の実施形態の組立ユニットの一部の斜視図である。
【図９】ガイドレールと車体の間の接続を示す一実施形態の縦断面図である。
【図１０】ガイドレールと車体の間の接続を示す他の実施形態の縦断面図である。
【図１１】ガイドレールと車体の間の接続を示す更に他の実施形態の縦断面図である。
【図１２】ガイドレールと車体の間の接続を示す更に他の実施形態の縦断面図である。
【図１３】ガイドレールと車体の間の接続を示す更に他の実施形態の縦断面図である。
【図１４】巻取り軸、軸受台、ブラインドシート及び引張り棒から成り、事前に組み立てられる組立ユニットの窓フランジへの取付けを説明する他の実施形態の一部の斜視図である。
【発明を実施するための形態】
【００３１】
図面を参照して本発明を実施形態に基づいて説明する。
【００３２】
図１は、天井２、トランクルーム３及び２本のＣ柱４，５を有する乗用車（乃至は自動車）１の背面概略図を示す。両Ｃ柱４及び５の間に後窓開口部６がある。後窓開口部６の上側は天井後縁７により、下側は窓下縁８により規定される。後窓開口部６に後窓ガラス９が周知のように嵌め込まれ、例えば、接着剤により接着されている。
【００３３】
乗用車１の内部に、後窓ガラス９の前にリヤシェルフ１１があって、窓下縁８と図では見えない後部座席背もたれとの間を水平に延びる。リヤシェルフ１１に直線状の出口スロット１２が通っている。
【００３４】
出口スロット１２は後窓ブラインド１３に属する。その基本構造のごく概要を図２に平面図で示す。
【００３５】
後窓ブラインド１３は２本のガイドレール１０を有する。ガイドレール１０は後窓開口部６の側縁の脇で２本のＣピラー４及び５に固定されている。切開した原理図であるため、図２には例えばＣピラー５に固定されたガイドレール１０だけが見える。本発明に係る固定法は後述で詳しく説明する。
【００３６】
ガイドレール１０は図３に示す横断面輪郭を有する。その横断面は角部に丸みのあるおおむね正方形であり、前側面（面）１４、２つの側壁１５，１６、背側面（面）１７によって規定される。背側面１７から縁板状の固定フランジ１８が突出しており、ガイドレール１０はこれによって車体の適宜な部分に固定される。２つの互いに平行な面１９及び２０が固定フランジ１８を規定する。これらの面１９，２０の母線(Erzeugende)はガイドレール１０の縦軸に対して直角な直線である。
【００３７】
ガイドレール１０内に円形横断面の案内溝２１が形成され、スロット２２を介して前面１４側に開放している。
【００３８】
ガイドレール１０は、例えば、アルミニウム押出形材から成る。
【００３９】
スロット２２は、案内溝２１の直径より狭いから、案内溝２１よりも狭まった溝になる。この溝は適宜な直径を有する後述の線形スラスト部材の屈折を防止し、これらスラスト部材がスロット２２を通って外へ脱出することを阻止するようになっている。
【００４０】
ガイドレール１０は窓に姿を現さずに窓縁の輪郭に追従するように、複数の軸線に関して折れ曲がっている。ガイドレール１０は、溝２１は互いに向き合った方向に開放するように配列されている。
【００４１】
図２で明らかなように、ガイドレール１０はスロット２２を下向きに通過しリヤシェルフ１１の下側に達する。
【００４２】
図２が概略図で示すように、リヤシェルフ１１の下に巻取り軸２３が回転可能に支承される。図５に示すように、巻取り軸２３を軸受台（軸受手段）２４で支承する。
【００４３】
巻取り軸２３は管状であり、図４に概略図で示したばねモータ(Federmotor)２５を内蔵する。ばねモータ２５はコイルばねから成り、このコイルばねの一方の端部は巻取り軸２３の内部に固定され、他方の端部は巻取り軸２３を支承する軸受台２４（図５）に固着される。
【００４４】
ブラインドシート２６の一方の端縁が巻取り軸２３に固定されている。裁断物であるブラインドシート２６の形状は後窓開口部６の輪郭の台形の形状に対応する。巻取り軸２３の反対側の端縁は筒形のループ部２７に成形され、その中に引張り棒２８が挿通されている。
【００４５】
引張り棒２８は、ループ部２７によりおおむね隠蔽された中間部材と、この中間部材に両側で入れ子式に移動可能な２個の端部材（案内部材）２９及び３０とを含む。
【００４６】
中間部材は軸方向に一定の横断面を有する楕円形の管である。この管の長さは筒形ループ部２７の長さに、従ってブラインドシート２６の当該の端縁の長さに相当する。
【００４７】
端部材２９及び３０はＬ字形の形状を有し、アーム３２と案内部３３から成る。アーム３２は上記の中央部材の空洞部内でほとんど遊びがなく縦移動可能であるような横断面を有する。その外側の端部は３４で案内部３３に一体を成して移行する。案内部３３の横断面は案内溝２１の円形部分に整合し、アーム３２の幅はスロット２２の幅に相当する。
【００４８】
両方の端部材２９及び３０はそれぞれアーム３２及び案内部３３が対称形に形成されている。
【００４９】
ブラインドシート２６を延ばすために、図４に極く概略的に示された駆動装置３５が設けられている。図を簡素化し本発明の理解を容易にするために、両方の側部ガイドレール１０を図４に断面図で示す。２つの案内溝２１は向き合う方向に開放している。
【００５０】
駆動装置３５は、永久励磁直流モータ(permanent erregter Gleichstrommotor)３７とギヤハウジング３８とから成るギヤモータ３６が駆動装置３５を含む。ギヤハウジング３８内に２本の案内通路３９及び４１が互いに平行に形成され、それらの間で出力軸４２に出力歯車（歯車）４３が設けられている。出力歯車４３はこれに遊転不能に連結された出力軸４２により、選択的に２つの回転方向に作動されるようになっている。
【００５１】
左側の案内管４４は案内通路３９から左側のガイドレール１０の案内溝２１の下端に達する。右側の案内管４５は案内通路４１から右側のガイドレール１０の案内溝２１の下端に連絡する。
【００５２】
案内通路３９と案内通路４１とそれぞれ曲げ弾性のあるスラスト部材（駆動部材）４６及び４７が通っている。スラスト部材４６，４７の不使用部分は、案内通路３９，４１のそれぞれ他方の端部から延びている貯蔵管内に挿入される。
【００５３】
両スラスト部材４６及び４７は同様の構造を有する。スラスト部材はそれぞれ外側に単数個又は複数個のリブ（歯）４９を担持する弾性たわみのある心線４８から成る。リブ４９はそれに単条又は多条のねじ山（乃至は歯）を形成する。リブ４９上のねじ山乃至は歯は半径方向に突出し各スラスト部材の一方の端部から他方の端部まで円筒形の心線４８の上に螺旋状に形成されている。出力歯車４３はリブ４９が形成する溝に係合することができる歯を有する。このようにして出力歯車４３はスラスト部材４６及び４７と確動的に連結される。
【００５４】
上記の後窓ブラインドの機能は次の通りである。
【００５５】
後窓ブラインド１３の休止位置では、巻取り軸２３は、ばねモータ２５の作用で、ブラインドシート２６を巻き取った位置に回転されている。この位置で筒形のループ部２７は出口スロット１２内にある。端部材２９，３０は２つのガイドレール１０の下端の近傍にある。
【００５６】
同時に２つのスラスト部材４６及び４７の２つの端部は当該の案内部３３から引き離されている。
【００５７】
この休止位置では、車内への光の入射がまったく制限されていない。この位置から、後窓ブラインド１３に、利用者が遮蔽効果を生じさせたい場合には、ブラインドシート２６を伸出する。ブラインドシート２６は光の入射を減少させるが、完全に制止するようにはなっていない。このために、ブラインドシート２６は、例えば、孔が形成された鎖編み(Kettengewirk)又は黒く着色された穴あきプラスチックシートから成る。
【００５８】
ブラインドシート２６を延ばすために、スラスト部材４７を右向きに案内溝２１に通して移動させる回転方向にギヤモータ３６を作動する。2つのスラスト部材４６及び４７は出力歯車４３とその直径方向正反対側でかみ合うから、同時にスラスト部材４６が左向きに左側ガイドレール１０の案内溝２１を通って同じ分だけ前進させられる。前進通路の短い区間の後に２つのスラスト部材４６及び４７の自由端（図４で上端）が２つの端部材２９，３０の案内部３３の下端に当接し、引き続き、端部材２９，３０を両ガイドレール１０の上端の方向へ押し上げる。
【００５９】
両ガイドレール１０間の間隔は端部材２９，３０の位置に応じて変化するから、端部材２９，３０が上昇すると共に、これらの端部材２９，３０のアーム３２がループ部２７に納められた引張り棒２８の形状剛性を有する中間部を構成する管内へ次第に没入していく。
【００６０】
後窓ブラインド１３、即ち、スラスト部材４６，４７、従って、端部材２９，３０が末端位置に到達すると、直ちにギヤモータ３６が停止される。後窓ブラインド１３が伸出した末端位置を図１及び図４に示す。
【００６１】
ギヤモータ３６はロッキング式であり、スラスト部材４６及び４７をそれぞれ到達した位置にロックする。
【００６２】
ギヤモータ３６の遮断はリミットスイッチを使用して、又は端部材２９及び３０がストッパに当接することによって行われる。電子装置で解析される抑止電流が現われ、これによって遮断する。
【００６３】
ブラインドシート２６は今は引張り棒２８と巻取り軸２３との間に緊張されている。
【００６４】
ブラインドシート２６を収縮させるために、ギヤモータ３６を逆の回転方向へ作動させる。２つのスラスト部材４６及び４７が所属のガイドレール１０を下方へ移動させられる。ばねモータ２５の作用により巻取り軸２３がブラインドシート２６を常に緊張状態に保ちながら引張り棒２８が一緒に下へ移動する。
【００６５】
図４に示す解決策は、水平及び垂直の曲率軸に対して湾曲した後窓ガラス９にも適している。
【００６６】
以上窓ブラインド１３の基本原理を説明した上で、窓ブラインド１３を自動車１の組立ラインで簡単に取り付けることを可能にする本発明の特徴を下記の図に基づいて説明する。その場合、本発明の細部を説明するために窓ブラインド１３の部分図、即ち、本発明の理解のために不可欠な部分図だけを示す。
【００６７】
図５は巻取り軸２３の一方の端部を明示している。巻取り軸２３は２個の軸受台２４の間に設置されてこれら軸受台２４に回転可能に支承されているが、図５にはそれらの内の一方だけが示されている。軸受台２４はＣ字形に折り曲げられた金属板押抜き部材から成る。金属板押抜き部材は固定穴６２を備えた平坦な固定脚部６１とこれに直角に延びる軸受腕部６３とを有する。軸受腕部６３は巻取り軸２３の軸頸部６４の用の軸受穴（図５では隠れていて見えない）を具備する。固定脚部６１の反対側の軸受腕部６３の端部に別の腕部６５が突設されている。腕部６５は当該のガイドレール１０を固定するために利用される。
【００６８】
図５の実施形態では、ガイドレール１０は第１の部分６６と第２の部分６７とから成る。第１の部分６６は、軸受台２４の軸受腕部６３と腕部６５との間の隅角区域に例えば接着等によって固定される。固定脚部６１及び腕部６５は、組立てアセンブリを構成する。第１の部分６６の長さは、窓ブラインド１３が完全に収縮した時に、第１の部分６６の自由な端縁又は自由端が伸出時の運動方向に端部材２９及び３０を越えて張り出すように設定されている。
【００６９】
巻取り軸２３が図示されていない側の端部に、図示されている軸受台２４に左右対称な軸受台２４がある。この軸受台２４も同様に引張り棒２８の他方の端部又は他方の端部材２９を案内するガイドレール１０の第１の部分６６を備えている。
【００７０】
２つの軸受台２４はフレームパイプ（連結手段）６８で互いに連結される。フレームパイプ６８は例えば両端が対応の軸受腕部６３に溶接されている。軸受腕部６３は向き合っており、固定脚部６１は互いに反対方向へ延びている。また、フレームパイプ６８にギヤモータ３６が取り付けられている。
【００７１】
図５で明らかなように、案内管４４及び４５はそれぞれ一体を成して当該のガイドレール１０の第１の部分６６へ移行する。案内管４４及び４５はそれぞれ図３の内側輪郭を有する一体の異形管から成るが、場合によっては固定フランジ１８を設けていない。
【００７２】
容易に分かるように、図５の装置は窓ブラインドのメーカー側で事前組立することができるユニットを成す。このユニットは次のように構成される。フレームパイプ６８によって軸受台２４に不動に連結されている。２つの軸受台２４の間に巻取り軸２３が回転可能に取り付けられ、軸受腕部６３の１つにばねモータ２５が固定支持されている。引張り棒２８の端部材２９，３０がすでにガイドレール１０の第１の部分６６に通されている。ばねモータ２５によって端部材２９，３０のアーム３２が軸受腕部６３の端縁に引きつけられる。案内管４４及び４５を成すガイドレール１０の延長部には事前組立したスラスト部材４６及び４７が挿通されており、フレームパイプ６８にギヤモータ３６が事前組立されている。
【００７３】
このようにして、この基本ユニットは組立ラインで当該の自動車に簡単・容易に取り付けられるので、自動車上で窓ブラインドの本来の組立を行う必要はない。
【００７４】
ガイドレール１０の第２の部分６７は部材としては第１の部分６６とは別に形成されており、例えば、巻取り軸２３を含む上述の基本ユニットの取付け後に車体に固定され、例えば、図示しない連結スリーブによりガイドレール１０の第１の部分６６に結合される。なお、第２の部分６７を固定フランジ１８により予め車体に固定する場合もある。この固定方法は後述の図で説明する。
【００７５】
当該のガイドレール１０の第１の部分６６と第２の部分６７とを互いに完全に別々に形成し、組立の時に初めて結合する代わりに、図６が示すように回り継手を設けることも可能である。
【００７６】
すでに説明した部材がこの図で使用される場合は、先に示した場合と同じ参照番号を用いている。
【００７７】
腕部６５は第１の部分６６の端部を越えて延長され、張出した接続板部６９を形成する。接続板板６９はヒンジ穴７１を具備し、第２の部分６７に固着された適宜なヒンジピン７２がこのヒンジ穴７１に嵌合する。ヒンジピン７２の軸は巻取り軸２３の回転軸に対して直角である。なお、ヒンジ穴７１とヒンジピン７２とでヒンジを構成する。
【００７８】
図６の基本ユニットは、まず、図５の基本ユニットと同様に準備される。次に、例えば、ヒンジピン７２を接続板部６９に回転可能に鋲止めすることにより、最後にガイドレール１０の第２の部分６７が枢支される。この状態で、ガイドレール１０の全体を含む基本ユニットを組立ラインに供給することができる。
【００７９】
供給状態でガイドレール１０の第２の部分６７は折り畳まれており、すでにループ部２７に通された引張り棒２８に平行である。例えば、固定脚部６１をねじ又は鋲で取り付けることにより（そのために固定脚部６１は例えば穴６２を具備する）車体に取り付けた後、第２の部分６７を巻取り軸２３と平行な位置から使用位置へ旋回して車両に固定する。
【００８０】
ガイドレール１０の第２の部分６７と第１の部分６６との間の継手は、図７に示すように予め屈折された屈曲部（ヒンジ）７３として形成することもできる。ガイドレール１０の輪郭に図示のように背面から複数個の切込み７４を付けることによって、屈曲部（ヒンジ）７３が得られる。切込み７４は前面１４の直前で終わる。このようにしてスロット２２の横脇に２本の細いウエブが残る。窓ブラインド１３を組み立てた後、両方のガイドレール１０の２つの第２の部分６７を内側へ折り曲げる。その際、ガイドレール１０の屈曲部（ヒンジ）７３が適当な半径で折り曲げられる。軸受台２４の固定部を取り付けた後、ガイドレール１０の屈曲部（ヒンジ）７３を再び所望の位置へ曲げ戻す。その場合、屈曲部７３はヒンジの働きをし、破損せずに十分な回数だけ折り曲げられる。この場合、切込み７４を適切な深さにすることが重要である。
【００８１】
通常、車体は窓の脇に内張り部材(Innenverkleidung)を設けている。ガイドレール１０の一方の部分を形成するために、この内張り部材を利用することができる。図８はガイドレール１０の第２の部分６７が独自のガイドレール形材でない実施形態を示す。むしろ、この場合は、第２の部分６７は、Ｃピラー４及び５の内張り部材(Innenverkleidungsstuecke)７６に溝７５として含まれている。溝７５の横断面はスロット２２を有する案内溝２１に正確に対応する。
【００８２】
この実施形態では前述の基本ユニットを取り付けた後に内張り部材７６を車体に固定することによって、組立が行われる。図示しない位置決め手段にとって、溝７５を当該の第１の部分６６の案内溝２１に整合して配列する。
【００８３】
図９はガイドレール１０と乗用車１の車体との結合の仕方を極く概要的に示す。図９には自動車１の車体の断面、即ち、例えば、Ｃピラー４の水平断面が示されている。明らかにＣピラー４は２個の金属板成形部材、即ち、外側金属板成形部材７７と内側金属板成形部材７６から成る。本発明に関連して重要なのは後窓開口部６に直接隣接する区域であるから、この区域だけを概略図で示す。外側金属板成形部材７７は後窓開口部６に接する段部(Falz)７８を形成する。段部７８はフランジ７９で終わる。内側金属板成形部材７６もフランジ８１で終わる段部(Falz)８０を備える。２つのフランジ７９及び８１は、その母線(Erzeugende)が窓縁に対し直角で、後窓開口部６の平面にある１本の直線であるという意味で直線状のフランジである。
【００８４】
２つのフランジ７９及び８１は周知のようにスポットウエルディングにより互いに一体に結合されている。場合によっては、フランジ７９の外側に補整接着材(Ausgleichs- und Klebemassse)８２を間にして後窓ガラス９の端縁側が接着される。
【００８５】
案内溝２１は段部８０にある。後窓開口部６の脇を通るガイドレール１０の部分は、固定フランジ１８により、内側金属板成形部材７６の車内に向いた面に段部８０と並んで固定される。固定は８３に概略図で示すように、ねじ又は鋲によって行われる。ねじ又は鋲は固定フランジ１８及び内側金属板成形部材７６の穴を貫通する。
【００８６】
ガイドレール１０が下端即ち窓下縁８の区域でフランジ８１から次第に離れ、軸受台２４の方向へ引き離されることは言うまでもない。図５及び６で示した基本ユニットは少なくともガイドレール１０の第１の部分６６を含めて、リヤシェルフ１１の下に配設されているから、ガイドレール１０がこの区域でフランジ８１から離隔しなければならないのは自明のことである。
【００８７】
図９の装置の重要な利点は、ガイドレール１０の幅の大きな部分、即ち案内溝２１を有する部分が内側の段部８０が形成する空間内に設けられているため、この区域の内張り部材を含む車体厚さを増加させないことである。他方ではガイドレール１０は、フランジ７９又は８１の自由端によって形成される、見える端縁部の直近にある。
【００８８】
図９による固定法は、フランジがなく、窓ガラスがガイド内を移動可能に操作される車体部分、例えば、車両のドアにも適している。
【００８９】
図１０はガイドレール１０の固定フランジ１８をフランジ７９と窓ガラス９との間に挿入した結合法を示す。このために、固定フランジ１８は、図示のように、その中心軸から半径方向へずらされて、案内溝２１を内設したガイドレール１０の横断面区域の外周面と接線を成すように接続している。
【００９０】
図１０によるガイドレール１０の固定のために、固定フランジ１８は接着剤８４でフランジ７９の外側に接着される。一方、固定フランジ１８は窓ガラス９用の支持固定面を成し、窓ガラス９は図９のフランジ７９に固定されると同様に固定フランジ１８に固定される。
【００９１】
図１０の実施形態では、窓の内縁が直接にガイドレール１０の前面１４から成る。
【００９２】
図１１では、固定フランジ１８は２つの互いに平行な面で画定された直線状の縁板でなく、固定フランジ１８は折り曲げられて、例えば、側壁１５に突設されている。それによってもう一つの溝８５が形成される。溝８５はガイドレール１０の縦方向に少なくとも窓の高さにわたって延びている。溝８５は内側フランジ８１の折り曲げられた張出し部８６を収容できるような寸法を有する。段部７８から離隔したフランジを形成するために、フランジ８１は窓開口部６の中央の方向に向いた自由端が折り曲げられて上記の張出し部８６を形成する。この張出し部８６をガイドレール１０の溝８５に差し込んでガイドレール１０をフランジ８１に取り付けることとができる。
【００９３】
図１２は、図１１に示されたフランジ８１の折曲げ部が、張出し部８６が大きな溝状の室（段部）８７を形成する距離だけ後窓ガラス９の内側から離間するように、大きな空間的深さ（高い高さ）を有する構造を示す。溝状の室（段部）８７の寸法は、そこにガイドレール１０を格納するのに十分な大きさになっている。この場合は、ガイドレール１０が固定フランジ１８なしで作られており、その代わりに張出し部８６に接着される直線状の側面（面）８８を有する。ガイドレール１０は張出し部８６と後部窓ガラス９の内側との間の室（段部）８７内にある。
【００９４】
後窓ガラス９は、図９に関連して説明したのと同様に固定される。
【００９５】
幾つかの実施形態で示したように、ガイドレール１０の外側横断面は実質的に正方形であるが、円筒形に形成することもできる。
【００９６】
図１３はガイドレール１０の第２の部分６７が車体の一部である実施形態を示す。外側金属板成形部材７７のフランジ７９は自由端に、窓ガラス９と反対側に向いた突縁８９が一体に形成されている。内側金属板成形部材７６の張出し部８６も自由端に突縁９１を担持する。突縁９１は突縁８９に対峙するように形成されている。両突縁８９，９１によってスロット９３を有する溝９２が形成される。その横断面は他の実施形態のガイドレール１０のスロット２２を有する案内溝２１に相当する。前述の基本ユニットを取り付ける時に、第１の部分６６と溝９２とが整合して接続され、こうして完全なガイドレール１０が形成される。
【００９７】
さらに図９乃至１３から容易に分かるように、窓ガラス９をはめ込んで接着する前に、窓ブラインド１３を取り付けることができる。そのために窓ブラインド１３を外側から窓開口部６上に置き、ガイドレール１０を外側からフランジ７９及び８１に連結する（図１４の場合は、ガイドレール１０の第２の部分６７ははじめから形成されている）。その場合、図１４が示すように、軸受台２４の腕部６５を適宜な分だけ延長することによって、腕部６５を同時に組立フランジとしても利用するならば、取付けが一層簡素化される。この場合は、腕部６５が外側からフランジ７９の外面に接着される。
【００９８】
窓ブラインドは少なくとも巻取り軸、これを受ける軸受台及びこれら軸受台を連結するフレームパイプから成る事前に組み立てられる組立ユニットを具備する。また事前組立された基本ユニットには、ブラインドシート操作用の電動駆動モータ及びスラスト部材を案内する案内管が設けられている。ブラインドシートは引張り棒に接続され、引張り棒はその両端部が同じく基本ユニットの構成部分であるガイドレールで案内される。
【００９９】
車体に窓ガラスを固定するためのフランジが設けられている。ガイドレールが目障りにならずに窓開口部になるべく密接するために、フランジは同時にガイドレールの固定具として利用される。
【符号の説明】
【０１００】
１  乗用車（自動車）
２  天井
３  トランクルーム
４，５  Ｃピラー
６  後窓開口部
７  天井後縁
８  窓下縁
９  後窓ガラス
１０  ガイドレール（案内手段）
１１  リヤシェルフ
１２  出口スロット
１３  後窓ブラインド
１４  前側面（面）
１５，１６  側壁
１７  後側面（面）
１８  固定フランジ
１９，２０  面
２１  案内溝
２２  スロット
２３  巻取り軸
２４  軸受台（軸受手段）
２５  ばねモータ
２６  ブラインドシート
２７  ループ部
２８  引張り棒
２９，３０  端部材
３２  アーム
３３  案内部
３５  駆動装置
３６  ギヤモータ
３７  永久励磁直流モータ
３８  ギヤハウジング
３９，４１  案内通路
４２  出力軸
４３  出力歯車（歯車）
４４，４５  案内管
４６，４７  スラスト部材（駆動部材）
４８  心線
４９  リブ（歯）
６１  固定脚部
６２  固定穴
６３  軸受腕部
６４  軸頸部
６５  腕部
６６  第１の部分
６７  第２の部分
６８  フレームパイプ（連結手段）
６９  接続板部
７１  ヒンジ穴
７２  ヒンジピン
７３  屈曲部（ヒンジ）
７４  切込み
７５  溝
７６  内張り部材、内側金属板成形部材
７７  外側金属板成形部材
７８  段部
７９  フランジ
８０  段部
８１  フランジ
８２，８４  接着剤
８５  溝
８６  張出し部
８７  室（段部）
８８  側面（面）
８９，９１  突縁
９２  溝
９３  スロット
【図１】
2010111392.tif 000003
【図２】
2010111392.tif 000004
【図３】
2010111392.tif 000005
【図４】
2010111392.tif 000006
【図５】
2010111392.tif 000007
【図６】
2010111392.tif 000008
【図７】
2010111392.tif 000009
【図８】
2010111392.tif 000010
【図９】
2010111392.tif 000011
【図１０】
2010111392.tif 000012
【図１１】
2010111392.tif 000013
【図１２】
2010111392.tif 000014
【図１３】
2010111392.tif 000015
【図１４】
2010111392.tif 000016
【手続補正書】
【提出日】平成22年3月8日(2010.3.8)
【手続補正１】
【補正対象書類名】特許請求の範囲
【補正対象項目名】請求項６
【補正方法】変更
【補正の内容】
【請求項６】
前記窓開口部（６）は少なくとも側部に内側及び外側の段部（７８，８７）を有し、その外側の段部（７８）に前記窓ガラス（９）が固定され、内側の段部（８７）を前記ガイドレール（１０）の支持体として使用する、
ことを特徴とする請求項１乃至５の何れか１項に記載の車体又はドア。